(57)【特許請求の範囲】
【請求項１】
複数の圧縮機を備えると共に、機体外蒸発器や機体外凝縮機等と配管接続されて冷凍サイクルを構成する冷凍機ユニットであって、複数の前記圧縮機を前方位置に並設する下段収納室と、該下段収納室の上方に位置すると共に、オイルタンク、レシーバタンク、フィルタドライヤ、電装箱を収納する上段収納室とを備え、
前記上段収納室の前面側に電装箱の制御部品を集中して設け、上段収納室の上部にオイルタンクを配すると共に、前記上段収納室の側面部近傍に、前記機体外凝縮器との高圧ガス出口、高圧液入口及び前記機体外蒸発器との高圧液出口、低圧ガス入口を配置し、機体外の蒸発器や凝縮器の冷媒配管との接続を冷凍機ユニットの側面又は天面から可能とし、冷凍機ユニットの天面から接続する場合には、冷凍機ユニット内から上方に立ち上げ可能としたことを特徴とする冷凍機ユニット。
【発明の詳細な説明】
【０００１】
【発明の属する技術分野】
本発明は冷凍機ユニットに関するもので、一般的に冷凍機ユニットは屋外一体型と屋内リモート型とに大別されるが、本発明は屋内リモート型セントラルユニットに関するものである。
【０００２】
【従来の技術】
斯かる屋外一体型の冷凍機ユニットは、特開平９−２２９４２３号公報に開示されており、この公報に記載のものは、上段収納室内に空冷凝縮器を配設している。
【０００３】
【発明が解決しようとする課題】
従って、店舗内に設置する場合には、該店舗内での設置スペースを大きくとることとなる。そこで、本発明は店舗内での設置スペースを小さくできる冷凍機ユニットを提供することを目的とする。また、該蒸発器や凝縮器との接続を機体天面或いは側面から工事可能にすることも目的とする。
【０００４】
【課題を解決するための手段】
このため本発明は、複数の圧縮機を備えると共に、機体外蒸発器や機体外凝縮機等と配管接続されて冷凍サイクルを構成する冷凍機ユニットであって、複数の前記圧縮機を前方位置に並設する下段収納室と、該下段収納室の上方に位置すると共に、オイルタンク、レシーバタンク、フィルタドライヤ、電装箱を収納する上段収納室とを備え、
前記上段収納室の前面側に電装箱の制御部品を集中して設け、上段収納室の上部にオイルタンクを配すると共に、前記上段収納室の側面部近傍に、前記機体外凝縮器との高圧ガス出口、高圧液入口及び前記機体外蒸発器との高圧液出口、低圧ガス入口を配置し、機体外の蒸発器や凝縮器の冷媒配管との接続を冷凍機ユニットの側面又は天面から可能とし、冷凍機ユニットの天面から接続する場合には、冷凍機ユニット内から上方に立ち上げ可能としたことを特徴とする。
【０００５】
また本発明は、前記オイルタンクを前記上段収納室内の上部位置に設けたものである。
【０００６】
更に本発明は、前記上段収納室の側面部近傍に、機体外凝縮器との高圧ガス出口、高圧液入口及び機体外蒸発器との高圧液出口、低圧ガス入口を配置し、該蒸発器や凝縮器との接続を機体天面或いは側面から工事可能にしたものである。
【０００７】
【発明の実施の形態】
図に基づき、本発明の実施の形態を以下説明する。図１は本発明の冷凍機ユニットの正面図、図２は本発明の冷凍機ユニットの平面図、図３は本発明の冷凍機ユニットの右側面図、図４、５は本発明の冷凍機ユニットの冷媒回路図を示す。
【０００８】
本発明の冷凍機ユニット（屋内リモート型セントラルユニット）は、ベース体１の四隅に支柱２を取り付け、該支柱２の上端に天枠３を、ベース体１と天枠３の間に仕切枠４を取り付け、該仕切枠４の下部を下段収納室５、上部を上段収納室６としている。この冷凍機ユニットの外形寸法は、横幅が２３６５ｍｍ、高さが１７６３ｍｍ、奥行きが１１３０ｍｍであり、既存の店舗でも、右側面又は左側面から搬入することにより間口が１２００ｍｍの親子ドアから搬入が可能となる。前記上段収納室６には、前面に電装パネル７を有して当該冷凍機ユニットを制御する制御装置を収納する電装箱８が設けられ、該箱８の右側面には電源取出し用の穴９が開設されている。
【０００９】
下段収納室５には、主として４台の半密閉式の圧縮機１１、１２、１３、１４をメンテナンスを考慮して該室内の前方位置に横並び状態に並設するが、この圧縮機１１、１２、１３の出力は、例えば１５ＫＷで、圧縮機１４は７．５ＫＷである。出力変更をする場合には、別の圧縮機を配置することになるが、下段収納室５内の前方位置に並設しているために、種々の部品の配置や配管取り付けが容易である。更に、本実施形態では、圧縮機を４台並設しているが、５台並設する場合には本冷凍機ユニットの横幅をその必要分だけ伸張した仕様、３台並設する場合には本冷凍機ユニットの横幅をその必要分だけ縮小した仕様にすれば足りるので、設計が簡単となる。
【００１０】
そして、気液分離器（アキュムレータ）１５には圧縮機１１、１２が並列接続され、気液分離器１６には圧縮機１３、１４が並列接続され夫々一体に取付けられている。
【００１１】
圧縮機１１、１２は、夫々マフラー１７、１８を介してオイルセパレータ１９に、同じく圧縮機１３、１４は、夫々マフラー２１、２２を介してオイルセパレータ２３に並列接続されている。該オイルセパレータ１９、２３は、高圧ガス出口２４に並列接続される。オイルタンク２５はオイルセパレータ１９、２３で冷媒から分離されたオイルを貯蔵するもので、貯蔵されたオイルはサービス用止弁２６、オイル戻り管２７、夫々サービス用止弁２８、２９、３０、３１及びオイルレギュレータ３３、３４、３５、３６を介して夫々圧縮機１１、１２、１３、１４に戻される。該オイルタンク２５はオイル戻りを効率的に行うべく前記上段収納室６内の上部位置に横向きに設けられている。
【００１２】
圧縮機１１、１２、１３、１４からの高温高圧冷媒を凝縮して液化させる凝縮器３７、３８、３９は、店舗（例えば、大型スーパーマーケット）の屋外に設置され、高圧ガス出口２４、高圧液入口４２に溶接により並列接続される。そして、高圧液入口４２はサービス用止弁４３を介してレシーバタンク４４に接続され、更に該タンク４４は高圧液出口サービスバルブ４５（当該冷凍機ユニットの前面側に設けられる）、フィルタドライヤ４６、モイスチャインジケータ４７を介して高圧液出口４８に接続される。４９は可溶栓で、火災時等の高温によりレシーバタンク４４の爆発を防ぐためのものである。
【００１３】
また、レシーバタンク４４の高圧液出口４８には、チェッキ弁５１、圧力安定化用のキャピラリチューブ５２を介して高圧圧力計５３が設けられ、低圧ガス入口５４にはサービス用止弁５５を介して、低圧圧力計５６や、圧縮機１１、１２の容量制御用のデジタル圧力スイッチ５７、圧縮機１３、１４の容量制御用のデジタル圧力スイッチ５８が接続されている。尚、高圧圧力計５３、サービス用止弁５５、低圧圧力計５６、デジタル圧力スイッチ５７、５８等は、当該冷凍機ユニットの前方位置に集中して配置する。
【００１４】
前記高圧液出口４８は、店舗内に設置される冷凍或いは冷蔵ショーケース（図示せず）内の膨張弁及び蒸発器への冷媒配管に溶接接続される。そして、蒸発器からの冷媒配管は低圧ガス入口５４として取出された配管に溶接接続され、更に下段収納室５の後方位置に設置される気液分離器（アキュムレータ）１５、１６に接続される。低圧ガス入口５４と気液分離器１５、１６との間には、他端がオイルタンク２５に接続される該タンク２５の内圧抜き配管が止弁５９を介して設けられる。
【００１５】
また、前記高圧液出口４８と前記モイスチャインジケータ４７との間には、高圧液冷媒を蒸発させて圧縮機１１、１２、１３、１４にサービスバルブ６１、６２、６３、６４、電磁弁６５、６６、６７、６８、キャピラリチューブ７１、７２、７３、７４を介して戻すことにより、気化熱で圧縮機１１、１２、１３、１４を冷却したり圧縮機容量を制御するためのリキッドインジェクション管（Ｌ／Ｉ管）７５が接続されている。
【００１６】
また、各圧縮機１１、１２、１３、１４の高圧側と低圧側には、それらの異常高圧や異常低圧を検出して各圧縮機１１、１２、１３、１４を保護するための高低圧圧力スイッチ７６、７７、７８、７９が圧力安定化用のキャピラリチューブ８１、８２、８３、８４、８５、８６、８７、８８を介して接続される。
【００１７】
以上のように構成された本実施形態の冷凍機ユニットは、店舗の機械室に設置され、上段収納室６の天面から天井まで上方に取出された各冷媒配管を天井内に這わせ、屋外に設置された前記凝縮器３７、３８、３９、及び店舗内の冷凍或いは冷蔵ショーケース内の蒸発器の冷媒配管に溶接接続される。
【００１８】
さて、圧縮機１１、１２、１３、１４で圧縮された高温高圧冷媒は、夫々マフラー１７、１８、２１、２２及びオイルセパレータ１９、２３を介して凝縮器３７、３８、３９に供給され、ここで凝縮液化されて高圧液入口４２及びサービス用止弁４３を介してレシーバタンク４４に溜められる。
【００１９】
レシーバタンク４４からは、高圧液出口サービスバルブ４５、フィルタドライヤ４６、モイスチャインジケータ４７を介して高圧液冷媒が当該冷凍機ユニットに配管接続された冷凍ショーケースに供給される。そして、ショーケースに供給される高圧液冷媒はその膨張弁を通ることにより減圧膨張されて、蒸発器に供給される。蒸発器では、減圧膨張された液冷媒の気化熱によりショーケース内を冷却し、所定の冷凍温度に維持する。
【００２０】
このようにして、冷凍ショーケースを冷却して低圧冷媒ガスは冷凍機ユニットの低圧ガス入口５４に戻り、各気液分離器１５、１６に入り、気液分離された後、気体分のみが圧縮機１１、１２、１３、１４に戻されて再圧縮され、上記の冷凍サイクルを繰り返す。
【００２１】
ここで、サービスメンテナンスが必要な、例えば圧縮機１１、１２、１３、１４、デジタル圧力スイッチ５７、５８、該圧力スイッチのサービス用止弁５５、高圧液出口サービスバルブ４５や電装箱８内の制御部品などを上段収納室６や下段収納室５の前面側に集中して設けたので、サービスメンテナンスが容易となる。
【００２２】
また、オイルタンク２５を上段収納室６の上部に配したことによる圧力差で、圧縮機へのオイル戻りの効率向上を図ることができる。
【００２３】
更に、配管取出部、即ち高圧液出口４８、低圧ガス入口５４や高圧ガス出口２４、高圧液入口４２を上段収納室６の右隅部に右側面方向に向くようにしたので、機体外の蒸発器や凝縮器の冷媒配管との接続を冷凍機ユニットの右側面からしても良く、また同じく蒸発器や凝縮器の冷媒配管との接続を冷凍機ユニットの天面からしても良い。後者の場合には、冷凍機ユニット内から上方に立ち上げ可能であるため、冷凍機ユニットの側方の配管スペースを無くすことができる。
【００２４】
尚、上述の実施の形態が、下段収納室５に圧縮機を４台並設している形態であるが、５台並設する場合には本冷凍機ユニットの横幅をその必要分だけ伸張した仕様に設計をし、図５に示すような冷媒回路図にすれば良い。即ち、図５において、図４と同一の図番を付したものは同一のものか、同一の機能を有するものとし、その説明は省略する。
【００２５】
４番目の圧縮機９０の出力は、１５ｋｗであり、５番目の圧縮機９１は１０．５ＫＷであり、下段収納室５内の前方位置に並設する。
【００２６】
圧縮機１３、９０、９１は、夫々マフラー２１、２２、９３を介してオイルセパレータ２３及び９４に並列接続され、該オイルセパレータ２３及び９４も、高圧ガス出口２４に並列接続される。
【００２７】
オイルタンク２５はオイルセパレータ１９、２３、９４で冷媒から分離されたオイルを貯蔵するもので、貯蔵されたオイルはサービス用止弁２６、オイル戻り管２７、夫々サービス用止弁２８、２９、３０、３１、１０２及びオイルレギュレータ３３、３４、３５、３６、１０３を介して夫々圧縮機１１、１２、１３、９０、９１に戻される。
【００２８】
また、前記低圧ガス入口５４にはサービス用止弁５５を介して、低圧圧力計５６や、圧縮機１１、１２用のデジタル圧力スイッチ５７、圧縮機１３、９０用のデジタル圧力スイッチ５８、圧縮機９１用のデジタル圧力スイッチ９５が接続されている。
【００２９】
前記高圧液出口４８と前記モイスチャインジケータ４７との間には、高圧液冷媒を蒸発させて圧縮機１１、１２、１３、９０、９１にサービスバルブ６１、６２、６３、６４、９６、電磁弁６５、６６、６７、６８、９７、キャピラリチューブ７１、７２、７３、７４、９８を介して戻すことにより、気化熱で圧縮機１１、１２、１３、９０、９１を冷却するためのリキッドインジェクション管（Ｌ／Ｉ管）７５が接続されている。
【００３０】
また、各圧縮機１１、１２、１３、９０、９１の高圧側と低圧側には、それらの異常高圧や異常低圧を検出して各圧縮機１１、１２、１３、９０、９１を保護するための高低圧圧力スイッチ７６、７７、７８、７９、９９が圧力安定化用のキャピラリチューブ８１、８２、８３、８４、８５、８６、８７、８８、１００、１０１を介して接続される。
【００３１】
【発明の効果】
以上説明したように本発明は、複数の圧縮機を備えると共に、機体外蒸発器や機体外凝縮機等と配管接続されて冷凍サイクルを構成する冷凍機ユニットであって、複数の前記圧縮機を前方位置に並設する下段収納室と、該下段収納室の上方に位置すると共に、オイルタンク、レシーバタンク、フィルタドライヤ、電装箱を収納する上段収納室とを備え、前記上段収納室の側面部近傍に、前記機体外凝縮器との高圧ガス出口、高圧液入口及び前記機体外蒸発器との高圧液出口、低圧ガス入口を配置したから、機械室内での設置スペースを小さくすることができると共に、蒸発器や凝縮器との接続を機体天面或いは側面から工事可能にしたものであるから、冷凍機ユニット内から冷媒配管を上方に立ち上げ可能であり、冷凍機ユニットの側方の配管スペースを無くすことができ、壁面に寄せて配置することが可能となる。
【図面の簡単な説明】
【図１】図１は本発明の冷凍機ユニットの正面図である。
【図２】図２は本発明の冷凍機ユニットの平面図である。
【図３】図３は本発明の冷凍機ユニットの右側面図である。
【図４】図４は本発明の冷凍機ユニットの冷媒回路図である。
【図５】図５は本発明冷凍機ユニットの他の実施形態の冷媒回路図である。
【符号の説明】
５      下段収納室
６      上段収納室
１１、１２、１３、１４、９０、９１      圧縮機
２４    高圧ガス出口
２５    オイルタンク
４２    高圧液入口
４４    レシーバタンク
４６    フィルタドライヤ
５４    低圧ガス入口
【図２】
0003749066.tif 000002
【図３】
0003749066.tif 000003
【図４】
0003749066.tif 000004
【図５】
0003749066.tif 000005
【図１】
0003749066.tif 000006